(57)【特許請求の範囲】
【請求項１】
複数の利用者の管理エリアへの入退場を個人認証により管理する入退場管理システムであって、
前記管理エリアへの利用者の入場を制限する入場ゲートと、
前記入場ゲートに設けられ、前記利用者の個人情報を読み取る読み取り装置と、
前記読み取り装置で読み取られた個人情報を記録する記憶部と、
認証用個人情報が予め記録されたデータベースと、
前記記憶部に記録された個人情報を、前記データベースに記録された認証用個人情報との照合により認証する認証部と、
前記管理エリア内からの前記利用者の退場を制限する退場ゲートと、
を備え、
前記入退場管理システムは、前記読み取り装置が前記利用者の個人情報を読み取ることにより、前記読み取られた個人情報を有する前記利用者の入場を前記入場ゲートに許可させる第１動作モードを有し、
前記第１動作モードにおいて、前記入場ゲートに前記利用者の入場を許可させた後、前記認証部は、前記記憶部に記録された個人情報の認証を行い、前記記憶部に記録された個人情報の認証が成功するまで、前記退場ゲートに前記利用者の退場を許可させない、
入退場管理システム。
【請求項２】
前記認証部での認証が成功したことにより、前記読み取られた個人情報を有する前記利用者の入場を前記入場ゲートに許可する第２動作モードをさらに有し、
前記第１動作モードと前記第２動作モードのいずれかを切り替え可能に構成されている
請求項１に記載の入退場管理システム。
【請求項３】
前記管理エリア内に前記利用者の個人情報を読み取る複数の読み取り装置を備え、
前記管理エリア内の読み取り装置により読み取られた個人情報に基づいて、前記管理エリア内の前記利用者の位置を特定する位置特定システムを備える、
請求項１または２に記載の入退場管理システム。
【請求項４】
前記個人情報は生体情報であり、
前記読み取り装置は、生体情報読み取り装置である、
請求項１または２に記載の入退場管理システム。
【請求項５】
前記個人情報は、ID情報であり、
前記読み取り装置は、IDリーダ装置である、
請求項１または２に記載の入退場管理システム。
【請求項６】
前記個人情報は生体情報とRFID情報であり、
前記読み取り装置は、生体情報読み取り装置とRFIDリーダ装置とを備える、
請求項１または２に記載の入退場管理システム。
【請求項７】
前記第１動作モードにおいて、前記認証部は、前記記録された個人情報を複数人分ごとに前記データベースの認証用個人情報と認証する、
請求項１から６のいずれか１つに記載の入退場管理システム。
【請求項８】
複数の利用者の管理エリアへの入退場を個人認証により管理する入退場管理方法であって、
前記管理エリアへの入場を制限する入場ゲートにおいて、読み取り装置が利用者の個人情報を読み取るステップと、
前記読み取り装置が、読み取った前記個人情報を記憶部に記録するステップと、
認証部が、記録された前記個人情報を、データベースに予め記録された認証用個人情報との照合により認証するステップと、
を備え、
前記入退場管理方法は、前記個人情報を読み取ることにより、読み取られた前記個人情報を有する前記利用者の前記入場ゲートの入場を許可する第１動作モードを有し、
前記第１動作モードにおいて、前記利用者の前記入場ゲートの入場を許可した後に、前記個人情報を認証するステップが行われ、
前記認証部は、前記個人情報の認証が成功するまで、退場ゲートから前記利用者の退場を許可しない、
入退場管理方法。
【請求項９】
前記認証するステップでの認証が成功したことにより、前記読み取られた個人情報を有する前記利用者の前記入場ゲートの入場を許可する第２動作モードと、を備え、
前記第１動作モードと前記第２動作モードとを切り替え可能である、
請求項８に記載の入退場管理方法。
【請求項１０】
前記管理エリア内に配置された前記利用者の個人情報を読み取る複数の読み取り装置により前記利用者の個人情報を読み取るステップと、
前記管理エリア内に配置された読み取り装置により読み取られた個人情報に基づいて、前記管理エリア内の前記利用者の位置を特定する、
請求項８または９に記載の入退場管理方法。
【請求項１１】
前記個人情報は生体情報であり、
前記個人情報を読み取るステップは、生体情報を読み取る、
請求項８または９に記載の入退場管理方法。
【請求項１２】
前記個人情報は、ID情報であり、
前記個人情報を読み取るステップは、ID情報を読み取る
請求項８または９に記載の入退場管理方法。
【請求項１３】
前記個人情報は生体情報とRFID情報であり、
前記個人情報を読み取るステップは、生体情報とRFID情報とを読み取る
請求項８または９に記載の入退場管理方法。
【請求項１４】
前記第１動作モードにおいて、前記認証するステップは、前記記録された個人情報を複数人分ごとに前記データベースの認証用個人情報と認証する、
請求項８から１３のいずれか１つに記載の入退場管理方法。
【発明の詳細な説明】
【技術分野】
【０００１】
本発明は、利用者の入退場が管理された区域における入退場管理システムおよび入退場管理方法に関する。
【背景技術】
【０００２】
従来、入場ゲートおよび退場ゲートでのID認証により管理区域への利用者の入退場を管理している入退場管理システムがある。これにより、管理区域のセキュリティ性を向上させている。入場ゲートを入場しようとする利用者は、本人のID情報が記録されたIDタグをリーダ装置にかざして（近づけて）ID情報の照合を行う。【０００３】
例えば、特許文献１の発明では、施設入口に設けられたカードリーダにより来訪者の人物IDが読み込まれる。読み込まれた人物IDがデータベースに照合されて施設内への入場の可否が判定される。入場可と判定されるとゲート装置が開放されて入場が許可される。【０００４】
図１６は、従来の入場管理方法における入場時の個人認証の時間経過を示した図である。入場ゲートでは利用者の個人情報の読み取りおよび照合を１人ずつ行っている。すなわち、個人情報の照合は、個人情報の読み取り時間Trと照合時間Tmを必要とする。（Tｒ＋Tm）の時間経過後、照合が一致すれば１人目が入場することができる。続いて、２人目、３人目の個人認証においても、それぞれ、（Tｒ＋Tm）の時間を必要とする。
【先行技術文献】
【特許文献】
【０００５】
【特許文献１】特開２００４−３１８５７６号公報
【発明の概要】
【発明が解決しようとする課題】
【０００６】
このような個人認証を複数の利用者が連続して行うと、１人１人の個人認証に時間を要し、認証処理が追いつかずに、入場ゲートにて渋滞が発生する場合がある。特に精密な個人認証であれば個人情報の情報量が多いので渋滞が発生しやすくなり、利用者の時間的、精神的負担が大きくなる。また、渋滞の発生を防止するために入場ゲートを増やすことはコストアップになってしまう。【０００７】
従って、本発明の目的は、前記課題を解決することにあって、入場時の渋滞を緩和した入退場管理システムおよび入退場管理方法を提供することにある。
【課題を解決するための手段】
【０００８】
上記目的を達成するために、本発明の一態様によれば、複数の利用者の管理エリアへの入退場を個人認証により管理する入退場管理システムであって、
前記管理エリアへの利用者の入場を制限する入場ゲートと、
前記入場ゲートに設けられ、前記利用者の個人情報を読み取る読み取り装置と、
前記読み取り装置で読み取られた個人情報を記録する記憶部と、
認証用個人情報が予め記録されたデータベースと、
前記記憶部に記録された個人情報を、前記データベースに記録された認証用個人情報との照合により認証する認証部と、
前記管理エリア内からの前記利用者の退場を制限する退場ゲートと、
を備え、
前記入退場管理システムは、前記読み取り装置が前記利用者の個人情報を読み取ることにより、前記読み取られた個人情報を有する前記利用者の入場を前記入場ゲートに許可させる第１動作モードを有し、
前記第１動作モードにおいて、前記入場ゲートに前記利用者の入場を許可させた後、前記認証部は、前記記憶部に記録された個人情報の認証を行い、前記記憶部に記録された個人情報の認証が成功するまで、前記退場ゲートに前記利用者の退場を許可させない、
入退場管理システムである。【０００９】
また、本発明の別態様によれば、複数の利用者の管理エリアへの入退場を個人認証により管理する入退場管理方法であって、
前記管理エリアへの入場を制限する入場ゲートにおいて利用者の個人情報を読み取るステップと、
読み取られた前記個人情報を記録するステップと、
記録された前記個人情報を、データベースに予め記録された認証用個人情報との照合により認証するステップと、
を備え、
前記入退場管理方法は、前記個人情報を読み取ることにより、読み取られた前記個人情報を有する前記利用者の前記入場ゲートの入場を許可する第１動作モードを有し、
前記第１動作モードにおいて、前記利用者の前記入場ゲートの入場を許可した後に、前記個人情報を認証するステップが行われ、
前記個人情報の認証が成功するまで、退場ゲートから前記利用者の退場が許可されない、
入退場管理方法である。
【発明の効果】
【００１０】
本発明に係る入退場管理システムおよび入退場管理方法によれば、入場時の渋滞を緩和することができる。
【図面の簡単な説明】
【００１１】
【図１】実施形態１に係る入退場管理システムの概略構成図
【図２】実施形態１に係る入場ゲートおよび退場ゲートの概略図
【図３】実施形態１に係る入場管理システムの概略構成を示すブロック図
【図４】実施形態１に係る入場管理方法の処理手順を示すフローチャート
【図５】実施形態１に係る入場管理方法の処理手順を示すフローチャート
【図６】実施形態１に係る入場時の個人認証の時間経過を示す図
【図７】実施形態２に係る入場ゲートおよび退場ゲートの概略図
【図８】実施形態２に係る入場管理システムの概略構成を示すブロック図
【図９】実施形態２に係る入場管理方法の処理手順を示すフローチャート
【図１０】実施形態２に係る入場管理方法の処理手順を示すフローチャート
【図１１】実施形態２に係る入場管理方法の処理手順を示すフローチャート
【図１２】実施形態２に係る入場時の個人認証の時間経過を示す図
【図１３】実施形態３に係る入退場管理システムの概略構成図
【図１４】実施形態３に係る入場管理システムの概略構成を示すブロック図
【図１５】実施形態３に係る利用者の位置特定システムの概略構成図
【図１６】従来例に係る入場時の個人認証の時間経過を示す図
【発明を実施するための形態】
【００１２】
本発明の一態様の入退場管理システムは、複数の利用者の管理エリアへの入退場を個人認証により管理する入退場管理システムであって、前記管理エリアへの利用者の入場を制限する入場ゲートと、前記入場ゲートに設けられ、前記利用者の個人情報を読み取る読み取り装置と、前記読み取り装置で読み取られた個人情報を記録する記憶部と、認証用個人情報が予め記録されたデータベースと、前記記憶部に記録された個人情報を、前記データベースに記録された認証用個人情報との照合により認証する認証部と、前記管理エリア内からの前記利用者の退場を制限する退場ゲートと、を備え、前記入退場管理システムは、前記読み取り装置が前記利用者の個人情報を読み取ることにより、前記読み取られた個人情報を有する前記利用者の入場を前記入場ゲートに許可させる第１動作モードを有し、前記第１動作モードにおいて、前記入場ゲートに前記利用者の入場を許可させた後、前記認証部は、前記記憶部に記録された個人情報の認証を行い、前記記憶部に記録された個人情報の認証が成功するまで、前記退場ゲートに前記利用者の退場を許可させない。
【００１３】
この態様によれば、入場時の渋滞を緩和することができる。
【００１４】
前記読み取られた個人情報の認証が成功したことにより、前記読み取られた個人情報を有する前記利用者の入場を前記入場ゲートに許可する第２動作モードをさらに有し、
前記第１動作モードと前記第２動作モードとを切り替え可能に構成されていてもよい。
【００１５】
個人認証の動作モードが２種類あり、それらを切り替えることで、入退場全体での認証効率を上げることができる。
【００１６】
前記管理エリア内に前記利用者の個人情報を読み取る複数の読み取り装置を備え、前記管理エリア内の読み取り装置により読み取られた個人情報に基づいて、前記管理エリア内の前記利用者の位置を特定する位置特定システムを備えてもよい。これにより、入場時に取得した個人情報による認証が不成功の場合でも、不成功となった利用者の位置を管理エリア内で特定することができるので、不成功となった利用者を捕まえることができる。
【００１７】
前記個人情報は生体情報であり、前記読み取り装置は、生体情報読み取り装置であってもよい。これにより、利用者のなりすましを防止することができ、セキュリティの安全性をより向上させることができる。
【００１８】
前記個人情報は、ID情報であり、前記読み取り装置は、IDリーダ装置であってもよい。これにより、個人認証を簡易に実施することができる。
【００１９】
前記個人情報は生体情報とRFID情報であり、前記読み取り装置は、生体情報読み取り装置とRFIDリーダ装置とを備えてもよい。これにより、利用者のなりすましを防止することができ、セキュリティの安全性をさらに向上させることができる。
【００２０】
前記記録された個人情報を複数人分ごとに前記データベースの認証用個人情報と照合してもよい。これにより、記録された個人情報とデータベースの認証用個人情報とをまとめて照合することができ、照合時間を短縮することができる。
【００２１】
本発明の一態様の入退場管理方法は、複数の利用者の管理エリアへの入退場を個人認証により管理する入退場管理方法であって、前記管理エリアへの入場を制限する入場ゲートにおいて利用者の個人情報を読み取るステップと、読み取られた前記個人情報を記録するステップと、記録された前記個人情報を、データベースに予め記録された認証用個人情報との照合により認証するステップと、を備え、前記入退場管理方法は、前記個人情報を読み取ることにより、前記入場ゲートは、読み取られた前記個人情報を有する利用者の入場を許可する第１動作モードを有し、前記第１動作モードにおいて、前記入場ゲートが前記利用者の入場を許可した後に、前記個人情報を認証するステップが行われ、前記個人情報の認証が成功するまで、退場ゲートから前記利用者の退場が許可されない。
【００２２】
この態様によれば、入場時の渋滞を緩和することができる。
【００２３】
前記読み取られた個人情報の認証が成功したことにより、前記読み取られた個人情報を有する前記利用者の前記入場ゲートの入場を許可する第２動作モードと、を備え、前記第１動作モードと前記第２動作モードとを切り替え可能であってもよい。
【００２４】
個人認証の動作モードが２種類あり、それらを切り替えることで、入退場全体での認証効率を上げることができる。
【００２５】
前記管理エリア内に配置された前記利用者の個人情報を読み取る複数の読み取り装置により前記利用者の個人情報を読み取るステップと、前記管理エリア内に配置された読み取り装置により読み取られた個人情報に基づいて、前記管理エリア内の前記利用者の位置を特定してもよい。これにより、入場時に取得した個人情報による認証が不成功の場合でも、不成功となった利用者の位置を管理エリア内で特定することができるので、不成功となった利用者を捕まえることができる。
【００２６】
前記個人情報は生体情報であり、前記読み取り装置は、生体情報読み取り装置であってもよい。これにより、利用者のなりすましを防止することができ、セキュリティの安全性をより向上させることができる。
【００２７】
前記個人情報は、ID情報であり、前記個人情報を読み取るステップは、ID情報を読み取ってもよい。これにより、個人認証を簡易に実施することができる。
【００２８】
前記個人情報は生体情報とRFID情報であり、前記個人情報を読み取るステップは、生体情報とRFID情報とを読み取ってもよい。これにより、利用者のなりすましを防止することができ、セキュリティの安全性をさらに向上させることができる。
【００２９】
前記記録された個人情報を複数人分ごとに前記データベースの認証用個人情報と照合してもよい。これにより、記録された個人情報とデータベースの認証用個人情報とをまとめて照合することができ、照合時間を短縮することができる。
【００３０】
以下、本発明の実施の形態について、図面を参照しながら説明する。
【００３１】
（実施形態１）
以下に、本発明の実施形態１にかかる入退場管理システムおよび入退場管理方法について説明する。図１は、実施形態１に係る入退場管理システムの概略構成図である。図２は、入場ゲートおよび退場ゲートの概略図である。入退場管理システム１は、管理エリア３への利用者の入退場を管理している。すなわち、管理エリア３は利用者の入退場が管理された区域である。管理エリア３への利用者の入退場の状況は監視室５で確認することができる。管理エリア３への入場は入場ゲート７により制限されている。また、管理エリア３からの退場も退場ゲート９により制限されている。管理エリア３として、例えば、学校や会社等が挙げられる。
【００３２】
図２を参照する。実施形態１では、入場ゲート７と退場ゲート９の概略構成が同様であるので、図２に共に示しているが、異なる機能については以下に説明する。入場ゲート７には、各利用者が所持するRFID（Radio frequency Identification）タグ３５ａ、３５ｂ、３５ｃのタグID情報を読み取るリーダ装置３７と、入場扉４０と、スピーカ３９が設置されている。読み取り装置としてのリーダ装置３７は入場ゲート７に接近する利用者のタグID情報を読み取る。タグID情報にはタグID番号が含まれる。なお、RFIDタグ３５ａ、３５ｂ、３５ｃを総称する場合は、RFIDタグ３５と記載する。
【００３３】
RFIDタグ３５は、UHF帯のパッシブのRFIDタグを用いている。なお、RFIDタグの代わりに別の無線タグを用いてもよい。また、パッシブの無線タグに限らず、アクティブの無線タグを用いてもよい。無線通信規格として、HF帯、Wi-Fi（登録商標）、Bluetooth（登録商標）、BLE（Bluetooth Low Energy）等を用いてもよい。
【００３４】
また、退場ゲート９にも、利用者が所持するRFIDタグ３５のタグID情報を読み取るリーダ装置４１と、退場扉４４と、スピーカ４２が設置されている。リーダ装置４１は退場者のタグID情報を読み取る。なお、実施形態１では、入場ゲート７とは別に退場ゲート９が設けられているが、入場ゲート７と退場ゲート９とを統合した入退場ゲートが設けられていてもよい。
【００３５】
再び、図１を参照して説明する。管理エリア３には、入場した利用者のRFIDタグ３５を読み取るリーダ装置４５、４７、４９、５１、５３、５５が通路の天井に設けられ、さらには、監視室５からの音声案内を放送するスピーカ５６が備えられている。また、管理エリア３には、利用者を撮影するカメラ５７、５９、６１、６３、６４が設けられている。また、リーダ装置３７、４１、４５、４７、４９、５１、５３、５５は、RFIDタグ３５のID情報の読み取りだけでなく、データの書き込み機能を有していてもよい。
【００３６】
各リーダ装置は、その周囲空間に向けてタグID情報を送信するように要求信号を送信する。RFIDタグ３５は要求信号を受信すると、そのタグID情報を送信する。送信されたタグID情報はリーダ装置が受信し、RFIDタグ３５の存在を検出することができる。
【００３７】
監視室５には、各カメラ５７、５９、６１、６３、６４が撮影する画像が常時表示されるモニタ７７と、監視者が指定したカメラの画像が表示されるモニタ７９と、管理エリア３への入退場の照合を行うホストコンピュータ８１と、管理エリア３内のスピーカ５６と接続されたマイク８３とが配置されている。
【００３８】
図３は、実施形態１に係る入場管理システムの概略構成を示すブロック図である。リーダ装置３７は、RFIDタグ３５のタグID情報を読み取るリーダ部６７と、読み取ったタグID情報を記録させるID情報記憶部６９とを備える。また、ホストコンピュータ８１は、認証部９１、認証データベース９３、認証記録部９５、データ照合部９７とを備える。本実施形態において、記憶部としてのID情報記憶部６９はリーダ装置３７に含まれる例を示すが、これに限らない。ID情報記憶部６９はホストコンピュータ８１に含まれてもよい。
【００３９】
実施形態１に係る入退場管理システム１は、RFIDタグ３５、リーダ装置３７、４１、入場扉４０、退場扉４４、ホストコンピュータ８１を備える。入退場管理システム１を構成するこれらの装置は、ホストコンピュータ８１と互いに有線または無線で接続されており、データの送受信が可能になっている。
【００４０】
リーダ装置３７のリーダ部６７は、タグID情報を読み取ると、読み取ったタグID情報をID情報記憶部６９に記録させる。リーダ部６７がタグID情報を読み取ると、リーダ部６７は入場扉４０へ入場許可信号を送る。入場扉４０は、入場許可信号を受信すると、その扉を開ける。本実施形態において、入場扉４０への入場許可信号の送信はリーダ部６７が行う例を示すが、これに限らない。入場許可信号の送信はホストコンピュータ８１が行ってもよい。
【００４１】
ID情報記憶部６９は、予め定められた人数分のタグID情報を記録すると、これらの情報をまとめてホストコンピュータ８１へ送信する。実施形態１では、例えばＮ人ごとのタグID情報をホストコンピュータ８１へ送信する。Ｎは２以上の自然数である。なお、タグID情報は、このようにＮ人分まとめて送信してもよいし、１人分ずつ送信してもよい。
【００４２】
認証部９１は、ホストコンピュータ８１に送信されたタグID情報を認証データベース９３に照合する。データベースとしての認証データベース９３には、入場ゲート７に入場することができるタグID情報が予め記録されている。読み込まれたタグID情報がデータベースのタグID情報と一致すれば「一致」の結果を、一致していなければ「不一致」の結果を照合されたタグID情報と共に認証記録部９５へ出力する。認証部９１による認証は、１人ずつ実施してもよいし、Ｎ人分のバッチ照合処理でもよい。
【００４３】
認証部９１は、Ｎ人数分のタグID情報をまとめて認証データベース９３と認証する場合、予め定められた時刻から実施してもよい。例えば、昼休み休憩終了から３０分後に実施してもよい。また、リーダ装置３７が一定時間、RFIDタグ３５の検出が無かった場合、リーダ装置３７が認証部９１に認証指示を送信し、この認証指示により認証部９１が照合を開始してもよい。
【００４４】
認証記録部９５は、ホストコンピュータ８１に送信されたタグID情報と認証データベース９３に登録されているタグID情報との照合結果が、送信されたタグID情報と関連づけて記録されている。
【００４５】
退場ゲート９のリーダ装置４１は、退場ゲート９に接近した退場者のタグID情報を読み取ると、読み取ったタグID情報をホストコンピュータ８１へ送信する。
【００４６】
データ照合部９７は、ホストコンピュータ８１へ送信された退場者のタグID情報を認証記録部９５に照会する。退場者のタグID情報が認証記録部９５において「一致」の結果として記録されていれば、退場扉４４へ退場許可信号を出力する。退場者のタグID情報が「不一致」の結果として記録されていれば、データ照合部９７は、退場ゲート９のスピーカ４２へ警告信号を送信する。スピーカ４２は、警告信号を受信すると警告音を発する。また、データ照合部９７は、「不一致」の場合、監視室５のモニタ７９に警告表示して、監視者に不審者の存在を報知する。
【００４７】
認証部９１、データ照合部９７は、複数のCPU、マイクロプロセッサ、または、FPGA(Field Programmable Gate Array)から構成されてもよいし、１つのCPU、マイクロプロセッサ、または、FPGAに統合されていてもよい。ID情報記憶部６９、認証データベース９３、認証記録部９５は、それぞれ、複数のハードディスク、メモリ、または、SSD(Solid State Drive)から構成されてもよい。また、ID情報記憶部６９、認証データベース９３、認証記録部９５は、１つのハードディスク、メモリ、またはSSDに統合されていてもよい。
【００４８】
次に、入退場管理方法について図４を参照して説明する。図４は、入退場管理方法の処理手順を示すフローチャートである。処理手順は、利用者の入場時の認証を行う処理と、退場時の認証を行う処理との大きく２つの処理に分けられる。まず、図４を参照して利用者の入場時の認証に関する処理を説明する。
【００４９】
管理エリア３外から、利用者が入場ゲート７に近づくと、リーダ装置３７のリーダ部６７が利用者の所持するRFIDタグ３５のタグID情報を読み取る（ステップＳ１）。読み取られたタグID情報は、読み取り時刻と読み取ったリーダ装置３７のID情報と関連づけられてID情報記憶部６９に記録される（ステップＳ２）。タグID情報が正常に読み取られると、リーダ部６７は入場扉４０に入場許可信号を送信する。入場扉４０は、入場許可信号を受信すると、その扉を開く（ステップＳ３）。ここで、ステップＳ３の発生要件はステップＳ１のみであり、ステップＳ２とステップＳ３の発生タイミングは前後しても構わない。また、ID情報記憶部６９に記録されているタグID情報が予め定められたＮ人数分になると、ID情報記憶部６９から、Ｎ人数分のタグID情報および関連づけられた各読み取り時刻とリーダ装置３７のID情報とがホストコンピュータ８１の認証部９１へ送信される。ここでタグID情報が正常に読み取られるとは、例えば、リーダ部６７が所定時間内の一定以上の読み取りカウント数を取得した場合である。このカウント数は、ID情報記憶部６９に記録される内容として、記録されてもよい。
【００５０】
ホストコンピュータ８１において、認証部９１はＮ人数分のタグID情報を受信する。認証部９１は、Ｎ人数分のタグID情報を、認証データベース９３に記録されている個人情報と照合することで認証する（ステップＳ４）、それぞれの照合が一致したかどうかの認証結果をタグID情報と関連づけて認証記録部９５へ記録する（ステップＳ５）。以上で、入場時の認証処理を終了する。
【００５１】
次に、退場時の認証を行う処理を図５を参照して説明する。図５は、入退場管理方法の処理手順を示すフローチャートである。
【００５２】
管理エリア３において、利用者が退場ゲート９に近づくと、リーダ装置４１が利用者の所持するRFIDタグ３５のタグID情報を読み取る（ステップＳ１１）。読み取られたタグID情報は、読み取り時刻と読み取ったリーダ装置４１のID情報と関連づけられてホストコンピュータ８１のデータ照合部９７へ送信される。
【００５３】
ホストコンピュータ８１において、データ照合部９７が退場ゲート９から送られたタグID情報を受信する。データ照合部９７は、受信したタグID情報を、認証記録部９５に記録されている入場時に読み取られたタグID情報の認証結果との照会により認証する（ステップＳ１２）。データ照合部９７が受信したタグID情報に関して、入場時に読み取られたタグID情報の照合が一致して認証が成功していた場合（ステップＳ１３のＹｅｓ）、退場ゲート９の退場扉４４へ退場許可信号を送信する（ステップＳ１４）。退場ゲート９では、退場扉４４が退場許可信号を受信すると、退場扉４４が開き（ステップＳ１５）、退場者が管理エリア３外へ退場することができる。
【００５４】
また、ステップＳ１３において、データ照合部９７が受信したタグID情報に関して、入場時の照合が不一致の場合や入場時の照合がまだ終わらずに認証記録部９５に照合結果が記録されていないなど、認証が成功していない場合（ステップＳ１３のＮｏ）、警告信号を入場ゲート７のスピーカ３９へ送信する（ステップＳ１６）。退場ゲート９のスピーカ４２は警告信号を受信すると、警告音を利用者に報知する（ステップＳ１７）。このとき、退場扉４４は退場許可信号を受信していないので、退場扉４４は開かれない。
【００５５】
実施形態１によれば、入退場管理システム１は、入場ゲート７と、リーダ装置３７と、ID情報記憶部６９と、認証データベース９３と、認証部９１と、退場ゲート９と、を備える。入退場管理システム１は、リーダ装置３７が利用者の個人情報を読み取ることにより、読み取られた個人情報を有する利用者の入場を入場ゲート７に許可させる第１動作モードを有する。第１動作モードにおいて、入場ゲート７に利用者の入場を許可させた後、認証部９１は、ID情報記憶部６９に記録された個人情報の認証を行い、ID情報記憶部６９に記録された個人情報の認証が成功するまで、退場ゲート９に利用者の退場を許可させない。これにより、入場時においてタグID情報の読み取りと記録が完了した時点で、利用者が管理エリア３内へ入場可能となるので、タグID情報の認証時間において、照合時間の分だけ入場時の個人認証の時間を短縮することができる。図６に示すように、入場時において入場者１人当たりに必要な個人認証の時間は、実質的にID情報タグを読み取り時間Ｔｒだけでよい。また、入場権限の無いRFIDタグ３５を所持している利用者もタグID情報の読み取りが完了すると入場ゲート７を通過することができるが、退場時の照合において入場権限の無いRFIDタグ３５を所持している利用者は退場ゲート９を通過することができない。また、入場権限の無いRFIDタグ３５を所持している利用者が退場ゲート９を通過しようとするとスピーカ４２から警告音を流すこともできるので、入場権限のない利用者が退場ゲート９にいることを周りにいる他の人が知ることができる。このように、入場時の個人認証の時間を削減し、なおかつ、管理エリア３内に権限なく入場した利用者を退場ゲート９で捕まえることができる。
【００５６】
なお、実施形態１では、認証用の個人情報としてRFIDタグ３５を用いたタグID情報を採用したがこれに限られない。認証用の個人情報として、生体情報を用いてもよい。生体情報の場合、データ量が多く、各利用者の生体情報の照合に時間を要するので、実施形態１での効果がより顕著になる。
【００５７】
認証用の個人情報として生体情報を用いる場合、リーダ装置３７は、生体情報を読み込むリーダ装置を採用する。また、認証データベース９３には、入場権限を有する利用者の生体情報が予め記録されている。生体情報は、生体が有する固有の情報であり、人を特定することができる情報である。生体情報として、手の指や手のひらの静脈パターン、網膜、声紋等を用いてもよい。
【００５８】
（実施形態２）
次に、本発明の実施形態２に係る入退場管理システムおよび入退場管理方法について図７、８を参照して説明する。実施形態１の入退場管理システム１は１種類の認証用の個人情報を用いていたのに対して、実施形態２に係る入退場管理システム２１は２種類の認証用の個人情報を用いる。また、実施形態２に係る入退場管理システム２１は、個人認証の動作モードとして２つの動作モードを備えている。２つの動作モードとは、個人情報の取得だけで入場ゲート８を開場する、実施形態１の動作モードである第１動作モードと、個人情報の取得と認証をしてから入場ゲート８を開場する第２動作モードとを備える。なお、実施形態２における入退場管理システム２１は、以下に記載した事項以外の構成は、実施形態１の入退場管理システム１と共通である。
【００５９】
図７は、実施形態２に係る入場ゲートおよび退場ゲートの概略図である。実施形態２における入場ゲート８は、実施形態１における入場ゲート７に生体情報読み取り装置３８と、リーダ装置３７とは別に、RFIDタグ３５のタグID情報を読み込むリーダ装置７３をさらに備えている。また、実施形態２における退場ゲート１０は、実施形態１における退場ゲート９に生体情報読み取り装置４３をさらに備えている。
【００６０】
読み取り装置としての生体情報読み取り装置３８は、利用者の生体情報を読み取るリーダ部７０と、読み取られた生体情報を記録する生体情報記憶部７１とを備える。実施形態２では、リーダ部７０は、生体情報として、例えば、利用者の指の静脈パターンを読み取る。読み取った生体情報は、Ｎ人分まとめて認証部９２へ送信される。
【００６１】
図８は、実施形態２に係る入退場管理システムの概略構成図である。ホストコンピュータ８２は、認証部９２、認証データベース９４、認証記録部９６、データ照合部９８と、モード切り替え部６５、入場判定部６６とを備える。実施形態２において、生体情報記憶部７１は生体情報読み取り装置３８に含まれる例を示すが、これに限られない。生体情報記憶部７１は、ホストコンピュータ８２に含まれてもよい。
【００６２】
認証部９２は、ホストコンピュータ８２に送信されたタグID情報および生体情報を認証データベース９４に照合する。認証データベース９４には、入場ゲート７に入場することができる利用者のタグID情報と生体情報とが関連づけて予め記録されている。認証部９２は、読み込まれたタグID情報および生体情報とが、認証データベース９４のタグID情報および生体情報と一致すれば「一致」の結果を、一致していなければ「不一致」の結果を、認証記録部９６および入場判定部６６へタグID情報と共に出力する。
【００６３】
認証記録部９６は、認証部９２での照合結果がタグID情報と関連づけて記録されている。
【００６４】
退場ゲート１０のリーダ装置４１は、退場ゲート１０にいる利用者のタグID情報を読み取ると、読み取ったタグID情報をホストコンピュータ８２へ送信する。
【００６５】
データ照合部９８は、ホストコンピュータ８２へ送信された退場者のタグID情報を認証記録部９６に照会する。退場者のタグID情報が認証記録部９６において「一致」の結果であれば、退場扉４４へ退場許可信号を出力する。退場者のタグID情報が「不一致」の結果であれば、データ照合部９８は、退場ゲート９のスピーカ４２へ警告信号を送信する。スピーカ４２は、警告信号を受信すると警告音を発する。また、データ照合部９８は、「不一致」の場合、監視室５のモニタ７９に警告表示して、監視者に不審者の存在を報知する。
【００６６】
モード切り替え部６５は、入場時の個人認証の動作モードとして第１動作モードと第２動作モードとのいずれかに切り替える。第１動作モードは、入場時に個人情報を読み取っただけで入場ゲート７が入場可能となる動作モードである。第２動作モードは、入場時に個人情報を読み取って、ホストコンピュータ８２での個人認証の結果一致している場合に入場ゲート７が入場可能となる動作モードである。
【００６７】
第１動作モードと第２動作モードとの動作モードの切り替えのタイミングは、予め定められた時刻でもよい。利用者の入場が混む時間帯が第１動作モードでの動作時間として好ましい。例えば、学校や会社の始業時刻３０分前から始業時刻までや、昼休憩開始３０分後から昼休憩終了までが挙げられる。また、指定時刻で動作モードを切り替えるのではなく、入場ゲート７に並ぶ利用者の数に応じて切り替えてもよい。また、監視者がホストコンピュータ８１に切り替えを指示することにより動作モードが切り替えられてもよい。
【００６８】
例えば、図７では、入場ゲート８に複数の利用者が並んでいる。入場ゲート７には、入場時の個人情報を認証するために設けられたリーダ装置３７とは別に、入場ゲート７に並ぶ利用者のタグID情報を読み取るリーダ装置７３が設けられている。リーダ装置７３は、周期的にタグID情報を読み取り、読み取ったタグID情報の数をホストコンピュータ８２のモード切り替え部６５へ送る。読み取り周期は、数秒から数分間隔で行う。
【００６９】
モード切り替え部６５は、リーダ装置７３から周期的に送られてくるタグID情報の数に応じて、動作モードを切り替える。すなわち、タグID情報の数が予め定められた数Ｄ以上であれば、第１動作モードで入場ゲート８での個人認証を行い、タグID情報の数がＤ未満であれば、第２動作モードで入場ゲート８での個人認証を行う。Ｄは２以上の自然数で任意の数を設定すればよい。
【００７０】
第１動作モードで個人認証を行う場合、モード切り替え部６５は、リーダ装置３７へ、タグID情報を読み取ると、入場扉４０へ入場許可信号を送信するように指示する。また、モード切り替え部６５は、生体情報読み取り装置３８へ、生体情報を読み取ると、入場扉４０へ入場許可信号を送信するように指示する。入場扉４０は、リーダ装置３７と生体情報読み取り装置３８との両方から入場許可信号を受信すると、その扉を開く。なお、実施形態２において、入場扉４０への入場許可信号の送信は、リーダ装置３７および生体情報読み取り装置３８が行う例を示すが、これに限られない。入場許可信号の送信は、ホストコンピュータ８２が行ってもよい。
【００７１】
第２動作モードで個人認証を行う場合、モード切り替え部６５は、リーダ装置３７および生体情報読み取り装置３８へ、入場扉４０への入場許可信号の送信を中止する指示を出す。また、モード切り替え部６５は、入場判定部６６へ、第２動作モードにおける動作の指示を出す。
【００７２】
入場判定部６６は、第２動作モードでは、認証部９２の照合結果が一致であれば、入場扉４０に入場許可信号を送信する。また、認証部９２の照合結果が不一致であれば、警告信号を入場ゲート８のスピーカ３９へ送信する。なお、入場判定部６６は、第１動作モードでは何も動作しない。
【００７３】
また、第１動作モードであっても、第２動作モードであっても、退場時の個人認証として、RFIDタグ３５の照合と生体認証とをさらに実施してもよい。
【００７４】
認証部９２、データ照合部９８、モード切り替え部６５、入場判定部６６は、複数のＣＰＵ、マイクロプロセッサ、FPGAから構成されてもよいし、１つのCPU、マイクロプロセッサ、FPGAに統合されていてもよい。ID情報記憶部６９、生体情報記憶部７１、認証データベース９４、認証記録部９６は、ハードディスク、メモリ、SSDから構成されてもよい。また、ID情報記憶部６９と生体情報記憶部７１とは、１つのハードディスク、メモリ、またはSSDに統合されていてもよい。また、認証データベース９４、認証記録部９６は、１つのハードディスク、メモリ、またはSSDに統合されていてもよい。
【００７５】
次に、入退場管理方法について図９を参照して説明する。実施形態２では、入場ゲートにおける個人認証の動作モードが２種類ある。この動作モードの選択の流れについて説明する。図９は、動作モードの切り替えの処理手順を示すフローチャートである。
【００７６】
動作モードの切り替えについては、時間帯による切り替えも例示したが、ここでは、入場ゲート８に並ぶ利用者の数に応じて切り替える例を説明する。入場ゲート８に設けられたリーダ装置７３は、入場ゲート８に並ぶ利用者のRFIDタグのタグID情報を読み取る。例えば、図７に示される例では、RFIDタグ３５ａ、３５ｂ、３５ｃのタグID情報が読み取られる（ステップＳ２１）。
【００７７】
次に、リーダ装置７３は、読み取ったタグID情報の数をカウントする。ステップＳ１７において、RFIDタグ３５ａ、３５ｂ、３５ｃのタグID情報を読み取ったので、タグＩＤ情報の数として３個カウントされる。カウントされた数が、リーダ装置７３からホストコンピュータ８２のモード切り替え部６５へ送信される。
【００７８】
ホストコンピュータ８２のモード切り替え部６５は、カウントされたタグＩＤ情報数である‘３’を受信する。モード切り替え部６５は、タグＩＤ情報数が予め定められた数Ｄ以上であるか否かを判定する（ステップＳ２２）。実施形態２では、例えば、Ｄは‘３’に設定されている。
【００７９】
タグＩＤ情報数が予め定められた数Ｄ以上であれば（ステップＳ２２のＹｅｓ）、モード切り替え部６５は、第１動作モードを選択する（ステップＳ２３）。モード切り替え部６５は、第１動作モードで動作することを、リーダ装置３７、生体情報読み取り装置３８、入場判定部６６へ指示する。図７の例では、第１動作モードで入場時の個人認証が行われる。
【００８０】
また、タグＩＤ情報数が予め定められた数Ｄ以上でなければ（ステップＳ２２のＮｏ）、モード切り替え部６５は、第２動作モードを選択する（ステップＳ２４）。モード切り替え部６５は、第２動作モードで動作することを、リーダ装置３７、生体情報読み取り装置３８、入場判定部６６へ指示する。以上で、動作モードの切り替えのフローが終了する。
【００８１】
次に、図１０を参照して第１動作モードにおける入場時の個人認証に関する処理を説明する。図１０は、入退場管理方法の処理手順を示すフローチャートである。
【００８２】
管理エリア３外から、利用者が入場ゲート８に近づくと、リーダ装置３７のリーダ部６７が利用者の所持するRFIDタグ３５のタグID情報を読み取る。また、利用者は自分の人差し指を生体情報読み取り装置３８のリーダ部７０へかざす（近づける）と、リーダ部７０は利用者の指の静脈パターンを読み取る（ステップＳ３１）。読み取られたタグID情報は、読み取り時刻と読み取ったリーダ装置３７のID情報と関連づけられてID情報記憶部６９に記録される。また、読み取られた生体情報も、読み取り時刻と読み取った生体情報読み取り装置３８のID情報と関連づけられて生体情報記憶部７１に記録される（ステップＳ３２）。
【００８３】
リーダ部６７は、タグID情報を読み取ると、入場扉４０に入場許可信号を送信する。また、リーダ部７０は、生体情報を読み取ると、入場扉４０に入場許可信号を送信する。入場扉４０は、両方の入場許可信号を受信すると、その扉を開く（ステップＳ３３）。ここで、ステップＳ３３の発生要件はステップＳ３１のみであり、ステップＳ３２とステップＳ３３の発生タイミングは前後しても構わない。また、ID情報記憶部６９および生体情報記憶部７１に記録されているタグID情報および生体情報が予め定められたＮ人数分になると、ID情報記憶部６９および生体情報記憶部７１から、Ｎ人数分のタグID情報、生体情報および関連づけられた各読み取り時刻とリーダ装置３７、生体情報読み取り装置３８の各ID情報とがホストコンピュータ８１の認証部９１へ送信される。
【００８４】
ホストコンピュータ８１において、認証部９２はＮ人数分のタグID情報および生体情報を受信する。認証部９２は、Ｎ人数分のタグID情報および生体情報を、認証データベース９４に記録されている個人情報と照合することで認証し（ステップＳ３４）、照合が一致したかどうかの認証結果をタグID情報と関連づけて認証記録部９６へ記録する（ステップＳ３５）。以上で、入場時の認証処理を終了する。
【００８５】
次に、図１１を参照して、第２動作モードにおける利用者の入場時の認証に関する処理を説明する。
【００８６】
利用者の所持するRFIDタグ３５のタグID情報の読み取りおよび生体情報の読み取り（ステップＳ４１）については第１動作モードのステップＳ３１と同様である。読み取られたタグID情報は、読み取り時刻と読み取ったリーダ装置３７のID情報と関連づけられてホストコンピュータ８２へ送信される。また、読み取られた生体情報も、読み取り時刻と読み取った生体情報読み取り装置３８のID情報と関連づけられてホストコンピュータ８２へ送信される。ホストコンピュータ８２では、認証部９２が、送信されたタグＩＤ情報および生体情報を受信する。認証部９２は、受信したタグＩＤ情報および生体情報を、認証データベース９４に保管されている入場権限のあるタグＩＤ情報および生体情報と照合することで認証する（ステップＳ４２）。
【００８７】
ステップＳ４２での照合が一致して認証が成功した場合（ステップＳ４３のＹｅｓ）、認証部９２は、認証成功の結果を入場判定部６６へ送信する。入場判定部６６は、認証成功の結果を受信すると、入場ゲート８の入場扉４０に入場許可信号を送信する（ステップＳ４４）。入場ゲート８では、入場扉４０が入場判定部６６からの入場許可信号を受信すると、入場扉４０が開き（ステップＳ４５）、利用者が管理エリア３内へ入場することができる。
【００８８】
ステップＳ４２での照合が一致せず認証が不成功の場合（ステップＳ４３のＮｏ）、認証部９２は、認証不成功の結果を入場判定部６６へ送信する。入場判定部６６は、認証不成功の結果を受信すると、入場ゲート８のスピーカ３９に警告信号を送信する（ステップＳ４６）。スピーカ３９は警告信号を受信すると、スピーカ３９は警告音を利用者に報知する（ステップＳ４７）。このとき、入場扉４０は入場許可信号を受信していないので、入場扉４０は開かない。
【００８９】
なお、第１動作モードにおいても、第２動作モードにおいても、退場時の個人認証処理は実施形態１と同様である。実施形態１の個人認証に加えて、生体認証による個人認証を実施してもよい。
【００９０】
以上のように、実施形態２によれば、タグID情報と生体情報と２種類の個人認証を実施する場合においても、第１動作モードによる個人認証を行うことで、入場時においてタグID情報および生体情報の読み取りが完了した時点で、利用者が管理エリア３内へ入場可能となる。これにより、タグID情報および生体情報の照合時間の分だけ入場時の個人認証の時間を短縮することができる。
【００９１】
図１２は、実施形態２に係る入場時の個人認証の時間経過を示す図である、第１動作モードと第２動作モードにおけるそれぞれの入場時に必要な時間を示している。第２動作モードにおいて、生体情報の読み取り時間Ｂｒと生体情報の照合時間Ｂｍが必要となる。タグID情報の読み取り時間Ｔｒと照合時間Ｔｍは、一般的に、生体情報の読み取り時間Ｂｒと照合時間Ｂｍよりもそれぞれ短い。したがって、第１動作モードの場合、生体情報の照合時間ＢｍとタグID情報の照合時間Ｔｍが省略されるので、入場者１人当たりに必要な時間は、実質的に生体情報の読み取り時間Ｂｒだけでよい。
【００９２】
また、第１動作モードにおいて入場時の個人情報の照合が不一致の場合、退場時の個人情報の照合において利用者は退場することができないので、退場時に入場権限のない利用者の位置を特定することができる。このように、入場時の個人認証の時間を削減し、なおかつ、管理エリア３内に権限なく入場した利用者を退場ゲート１０で捕まえることができる。
【００９３】
また、入場ゲート８における個人認証の動作モードを第１動作モードと第２動作モードとの２種類を切り替える。第１動作モードの場合、認証データベース９４との認証が完了していなければ、利用者は退場ゲート９から退場することができないが、第２動作モードでは、入場時に認証データベース９４との認証が終了しているので、利用者は管理エリア３内からいつでも退場することができる。したがって、非混雑時は第２動作モードで個人認証を行うことで、退場時の個人認証を含めた入退場全体の効率性は、２つの認証動作モードを切り替える方が、向上する。
【００９４】
（実施形態３）
次に、本発明の実施形態３に係る入退場管理システムおよび入退場管理方法について説明する。実施形態２に係る入退場管理システム２１は、第１動作モードでの個人認証において、タグID情報の照合が一致しない場合、照合が一致しなかったRFIDタグ３５を所持する利用者を退場ゲート１０でしかその位置を特定することができなかった。実施形態３では、実施形態２の入退場管理システム２１に、管理エリア３内でRFIDタグ３５を所持する利用者の位置を特定する位置特定システムをさらに備える。なお、実施形態３における入退場管理システム２３は、以下に記載した事項以外の構成は、実施形態２の入退場管理システム２１と共通である。
【００９５】
図１３を参照する。管理エリア３内のリーダ装置４５、４７、４９、５１、５３、５５は、RFIDタグ３５のタグID情報の読み取り領域が異なるようにそれぞれ配置されている。また、管理エリア３内のリーダ装置４５、４７、４９、５１、５３、５５は、隣り合う各リーダ装置のRFIDタグ３５の読み取り範囲が部分的に重なるように、管理エリア３内に配置されている。例えば、リーダ装置４５の読み取り範囲４５ｒは、リーダ装置４５の隣に配置されているリーダ装置４７、５１のそれぞれの読み取り範囲４７ｒ、５１ｒと一部が重なっている。また、リーダ装置５５の読み取り範囲５５ｒは、リーダ装置５５の隣に配置されているリーダ装置４９、５３のそれぞれの読み取り範囲４９ｒ、５３ｒと一部が重なっている。このような配置により、管理エリア３内のどこに利用者がいてもRFIDタグ３５を漏れなく検出することができる。管理エリア３内の各リーダ装置は、予め定められた時間周期で、RFIDタグ３５の読み取りを行う。リーダ装置の読み取り範囲内にRFIDタグ３５がなかったために、リーダ装置が１周期内でIDタグ情報の読み取りが無かった場合、各リーダ装置はホストコンピュータ８１へ読み取りデータとして何も送らない。管理エリア３内の各リーダ装置の読み取り周期は、数秒間隔で行う。ホストコンピュータ８１への読み取りデータの転送は、リーダ装置ごとに送信してもよいし、管理エリア単位でまとめて送信してもよい。
【００９６】
次に、図１４及び図１５を参照する。図１４は、実施形態３に係る入退場管理システムの概略構成を示すブロック図である。図１５は、実施形態３に係る利用者の位置特定システムの概略構成図である。実施形態３に係る入退場管理システム２３は、実施形態２に係る入退場管理システムに、リーダ装置４５、４７、４９、５１、５３、５５と、カメラ５９、６１、６３、６４と、モニタ７７、７９と、位置探索部９０とを備える。
【００９７】
管理エリア３では、各所に配置されたリーダ装置４５、４７、４９、５１、５３、５５が、予め定められた時間周期で、RFIDタグ３５のタグID情報を読み取る。リーダ装置の読み取り範囲内に利用者がいる場合、リーダ装置はタグID情報を読み取り、タグID情報と共に、読み取ったリーダ装置のリーダID情報と読み取った時刻とをホストコンピュータ８２へ送信する。
【００９８】
監視室５では、送られてきたタグID情報、リーダID情報と読み取り時刻とをホストコンピュータ８２が受信して、これらの情報を行動履歴記録部９９に記録する。また、認証部９２は、照合の結果が不一致となったタグID情報を位置特定部１０１へ送信する。
【００９９】
位置特定部１０１は、リーダID情報から管理エリア３内における利用者の位置を特定する。すなわち、位置特定部１０１は、行動履歴記録部９９に記録されたタグID情報およびリーダID情報と、不一致の照合結果となったタグID情報から管理エリア３内のRFIDタグ検出領域のうち、どの領域に不一致となったタグID情報を有する利用者がいるのかを特定する。特定された位置情報は提示情報生成部１０７へ送られる。提示情報生成部１０７は、特定された位置情報を管理エリア３の見取り図に示した提示情報を生成する。生成された提示情報はモニタ７９へ送られて、表示される。監視者は、監視室５のマイク８３を用いて管理エリア３のスピーカ５６から不審者がいることをアナウンスすることができる。また、監視者は、警備員に管理エリア３のどの位置に入場権限の無い利用者がいるかを連絡することもできる。
【０１００】
なお、位置特定システムは、上述したRFIDタグ３５とリーダ装置のみを用いたシステムでもよいし、それ以外にも、複数のカメラ５９、６１、６３、６４を用いて画像認識で追跡するシステムを採用してもよい。画像認識で追跡する場合、カメラ５７にて入場ゲート７を通過する利用者の顔を１人ずつ撮影して映像記録部１０５に記録し、撮影された画像を基に、画像処理にて複数のカメラ画像の中から追跡してもよい。該当する利用者が画像処理で見つかった場合、カメラ選択部１０３が撮影するカメラを選択して、撮影画像をモニタ７９に出力してもよい。
【０１０１】
位置特定部１０１、カメラ選択部１０３、提示情報生成部１０７は、複数のＣＰＵ、マイクロプロセッサ、FPGAから構成されてもよいし、ホストコンピュータ８２の他の構成要素と共に、１つのCPU、マイクロプロセッサ、またはFPGAに統合されていてもよい。行動履歴記録部９９、映像記録部１０５は、ハードディスク、メモリ、SSDから構成されてもよい。また、行動履歴記録部９９、映像記録部１０５は、認証データベース９４、認証記録部９６と共に、１つのハードディスク、メモリ、またはSSDに統合されていてもよい。
【０１０２】
以上より、利用者の追跡システムを備えることで、第１動作モードにて個人情報の読み取りだけで入場した場合でも、個人情報の認証が終わり次第、直ちに認証が成功しなかった利用者の位置が特定できる。入場権限のない利用者が退場する前に、その位置を特定することができるので、より早く入場権限のない利用者を捕まえることができる。
【０１０３】
本発明は、上記実施形態のものに限らず、次のように変形実施することができる。
【０１０４】
上記実施形態２において、第１動作モードではタグID情報と生体情報を読み取っただけで利用者の入場を可能としていたが、これに限られない。第１動作モードにおいて、タグID情報の認証も行い、生体情報は読み取っただけで利用者の入場を可能としてもよい。この場合、生体情報の認証は、利用者の入場後に実施される。
【産業上の利用可能性】
【０１０５】
本発明にかかる入退場管理システムおよび入退場管理方法は、工場、銀行、病院、会社、データセンター等の施設への入退場管理として有用である。
【符号の説明】
【０１０６】
１、２１、２３      入退場管理システム
３      管理エリア
５      監視室
７      入場ゲート
８      入場ゲート
９      退場ゲート
１０    退場ゲート
３５、３５ａ、３５ｂ、３５ｃ  ＲＦＩＤタグ
３７    リーダ装置
３８    生体情報読み取り装置
３９    スピーカ
４０    入場扉
４１    リーダ装置
４２    スピーカ
４３    生体情報読み取り装置
４４    退場扉
４５、４７、４９、５１、５３、５５  リーダ装置
５６    スピーカ
５７、５９、６１、６３、６４  カメラ
６５    モード切替部
６６    入場判定部
６７    リーダ部
６９    ＩＤ情報記憶部
７０    リーダ部
７１    生体情報記憶部
７３    リーダ装置
７７、７９  モニタ
８１、８２  ホストコンピュータ
８３    マイク
９０    位置探索部
９１    認証部
９２    認証部
９３    認証データベース
９４    認証データベース
９５    認証記録部
９６    認証記録部
９７    データ照合部
９８    データ照合部
９９    行動履歴記録部
１００  個人情報照会部
１０１  位置特定部
１０３  カメラ選択部
１０５  映像記録部
１０７  提示情報生成部
【図１】
0006562181.tif 000002
【図２】
0006562181.tif 000003
【図３】
0006562181.tif 000004
【図４】
0006562181.tif 000005
【図５】
0006562181.tif 000006
【図６】
0006562181.tif 000007
【図７】
0006562181.tif 000008
【図８】
0006562181.tif 000009
【図９】
0006562181.tif 000010
【図１０】
0006562181.tif 000011
【図１１】
0006562181.tif 000012
【図１２】
0006562181.tif 000013
【図１３】
0006562181.tif 000014
【図１４】
0006562181.tif 000015
【図１５】
0006562181.tif 000016
【図１６】
0006562181.tif 000017